(57)【要約】【課題】  残額不足が判明してからクレジットカード口座の与信確認、ＩＣカード内に入金するのは時間が数秒掛かる。その為、電子マネー機能が使用される場所は一般店舗など、レスポンス時間を気にする必要の無い場所が殆どである。本システムでは、クレジットカード口座ＩＣカード機能を有していて、かつ電子マネーを利用できるＩＣカードにおいて、電子マネーの残高が利用額より下回った場合、自動的に電子マネーを補充して、残額の支払いを可能とするシステムを提供する。【解決手段】  本システムでは、管理サーバが常にクレジットカード口座の状態を監視し、変更が生じたら直ぐに自動改札機を通して、ＩＣカードに変更情報を保存する。これにより、クレジットカード口座の利用可能であれば、不足分を使用し、与信を確定する。クレジットカード口座が利用不可能であれば、入場の拒否をする。【選択図】  図１
2006139527.tif 000002
【特許請求の範囲】
【請求項１】
ＩＣカードと、自動改札機と、管理サーバを含む電子マネー入金管理システムであって、
前記ＩＣカードは、クレジットカード口座より自動的に入金することができるクレジットカード機能を有し、ＩＣカード内の記憶装置に、ユニークなＩＤであるカードＩＤ、所有者の個人情報、入金した電子マネーの額、クレジットカード口座の使用可・使用不可を格納するクレジットカード口座の有効性枠、クレジットカード口座の与信限度額の範囲内で予めＩＣカード発行事業者によって決められた金額を格納することができる与信確認済金額枠と、ＩＣカードを使用した最終日時を格納する最終更新日時枠を設け、データを格納する手段を有し、
前記管理サーバは、クレジットカード会社に対してクレジットカード口座は使用可か不可かというクレジットカード口座の有効性、および与信照会を行った額であれば引落しが可能である、という与信金額を定期的に確認する手段と、管理サーバに保存されているクレジットカード口座の有効性に違いが生じた場合、配信日時を付加して自動改札機に配信する手段と、管理サーバに保存されている与信金額に違いが生じた場合、あらかじめ決められた金額で、現在設定されている額とは別の額で再度与信照会を行い、引き落としが可能となった与信金額を、配信日時を付加して自動改札機に配信する手段を有し、
前記ＩＣカードは、利用者が前記ＩＣカードを利用して前記自動改札機を通過する時、前記ＩＣカード内のデータを前記自動改札機に送信する手段を有し、
前記自動改札機は、ＩＣカード内の情報を読み書きできる装置を有しており、利用者がＩＣカードで自動改札機を通る時、管理サーバから何も配信されていない場合に、入出場処理を行う手段と、
管理サーバからクレジットカード口座の有効性、もしくは与信金額の変更情報が配信されていた場合に、入出場処理に加えて、ＩＣカード内に保存されているクレジットカード口座の有効性および与信金額を管理サーバから配信されてきたデータに更新する手段と、
利用者がＩＣカードを使用して利用額を支払う時、ＩＣカード内の電子マネーが利用額より多い場合、ＩＣカード内の電子マネーを使用し、ＩＣカード内に保存されている電子マネーの利用額分を差し引く手段と、
ＩＣカード内の電子マネーが利用額より少ない場合、ＩＣカード内に格納されているクレジットカード口座の有効性を確認し、クレジットカード口座の有効性が不可であれば、自動改札機で入出場の拒否をする手段と、
クレジットカード口座の有効性が使用可であれば、次にＩＣカード内に保存されている与信金額を確認する手段と、
ＩＣカード内に保存されている与信金額が、利用額からＩＣカード内の電子マネー額を差し引いた金額である不足分金額より大きい場合、与信金額を使用して支払いを行う手段と、
管理サーバへ、前記の支払いに使用された不足分金額を送信する手段とを有し、
管理サーバは、クレジットカード会社のクレジットカード口座に接続し、不足分金額の売上処理（ギャザリング）を行う手段と、
上記までの処理が終了次第、自動改札機で処理した電子マネーの金額、クレジットカード口座の有効性、与信金額を、入出場処理に使用する他のデータと一緒にＩＣカードに送信して書き込む手段と、
ＩＣカード内のクレジットカード口座の情報が使用可能状態にもかかわらず、売上処理でクレジットカード口座から引き落としが出来ない場合は、自動改札機にクレジットカード口座の有効性が不可の旨を配信する手段とを有し、
前記自動改札機は、前記配信されたデータを受信した後、自動改札機で更新に該当するＩＣカードが使用された場合、ＩＣカード内にクレジットカード口座の有効性に不可であることを書き込むと同時に、自動改札機にてＩＣカードの利用者の通過を拒否する手段を有することを特徴とする電子マネー入金管理システム。
【発明の詳細な説明】
【技術分野】
【０００１】
ＩＣカードに現金情報を書き込む、電子マネーに関する分野。
【背景技術】
【０００２】
ＩＣカードに現金情報を書き込む、電子マネーの利用範囲が広がっている。特に鉄道分
野で用いられているＩＣカードによる乗車券は、事前にＩＣカード内に電子マネーを入金
しておけば、切符の購入をしなくも、自動改札機にＩＣカードをかざすだけで入場したり
、出場したりする事が出来る。
【０００３】
現在は、ＩＣカード内の電子マネー残金が少なくなった場合、専用の入金装置を使用し
てＩＣカード内に現金を入れ、電子マネーの残額を増やす必要がある。もし、ＩＣカード
内の残金が少ないまま、自動改札機を通ろうとしても、入場する事が出来ないため、入金
装置まで行き、ＩＣカード内に入金する必要がある。
【０００４】
近年、この“入金装置まで行き、ＩＣカード内に現金を入金して電子マネーを増額させ
る”という煩わしさを解決する手段として、クレジットカード口座を契約して、残金が少
なくなったら自動的に入金する、という方法も見られる。これにより、入金装置まで行か
なくても良いため、手間を省く事が出来る。ただし、後払い方式の為、乗車賃の回収が不
可能になる可能性がある。尚、本技術に関連する従来技術として特許文献１がある。
【０００５】
【特許文献１】特開２００２−１０９５８４号公報
【発明の開示】
【発明が解決しようとする課題】
【０００６】
従来のクレジットカード口座を利用する場合で、ＩＣカード内の電子マネーが利用額よ
り少ない場合、まずクレジットカード口座の与信を確認する。そして、クレジットカード
口座の与信確認の結果、利用可能と分かったら、ＩＣカード発行事業者が決めた額をＩＣ
カードに入金する。
【０００７】
ただし、この方法では、ＩＣカード情報のリーダ／ライタから与信照会を行い、その後
、ＩＣカード内に入金するまでのレスポンス時間として数秒掛かる。その為、本方法を用
いる事が出来る事業は、一般店舗での利用や後払い方式を採用している鉄道事業者での利
用など、レスポンス時間を気にする必要の無い分野に限られている。
【０００８】
本発明の目的は、鉄道など、入場時に入金を済ませることができる前払い方式による方
法である為、入金までのレスポンス時間の短縮を可能にし、かつ鉄道事業者の引落不可の
リスク軽減を可能にする、ＩＣカード内への電子マネーの入金手段を提供することにある
。
【課題を解決するための手段】
【０００９】
上記課題を解決するには、ＩＣカードと、ＩＣカード内の情報を読み書きできる装置の
付いた自動改札機と、自動改札機など駅内の機器と接続され、それぞれの機器とデータの
通信ができ、かつ前記データの保存が可能な管理サーバと、ネットワークを介してクレジ
ットカード会社との取引が可能なコンピュータシステムであって、それらの構成要素が下
記の動作をおこなう「電子マネー入金管理システム」を用いる。
（１）ＩＣカードは、クレジットカード口座より自動的に入金することができるクレジッ
トカード機能を有するものを使用する。ＩＣカード内には、ユニークなＩＤであるカード
ＩＤ、所有者の個人情報、入金した電子マネーの額、クレジットカード口座の使用可・使
用不可を格納するクレジットカード口座の有効性枠、クレジットカード口座の与信限度額
の範囲内で、予めＩＣカード発行事業者によって決められた金額を格納することができる
与信確認済金額枠と、ＩＣカードを使用した最終日時を格納する最終更新日時枠を設け、
データを保存できる。
（２）管理サーバは、クレジットカード会社に対してクレジットカード口座は使用可か不
可かというクレジットカード口座の有効性、および与信照会を行った額であれば引落しが
可能である、という与信金額を定期的に確認する。
管理サーバに保存されているクレジットカード口座の有効性に違いが生じた場合、配信日
時を付加して自動改札機に配信する。
【００１０】
管理サーバに保存されている与信金額に違いが生じた場合、あらかじめ決められた金額
で、現在設定されている額とは別の額で再度与信照会を行い、引き落としが可能となった
与信金額を、配信日時を付加して自動改札機に配信する。
（３）利用者が、ＩＣカードを利用して自動改札機を通過する時、ＩＣカード内のデータ
を自動改札機に送信する。
（４）利用者が、ＩＣカードで自動改札機を通る時、管理サーバから何も配信されていな
い場合は、入出場処理のみを行う。
【００１１】
クレジットカード口座の有効性、もしくは与信金額の変更情報が配信されていた場合、
入出場処理に加えて、ＩＣカード内に保存されているクレジットカード口座の有効性およ
び与信金額を管理サーバから配信されてきたデータに更新する。
（５）利用者が、ＩＣカードを使用して利用額を支払う時、ＩＣカード内の電子マネーが
利用額より多い場合、ＩＣカード内の電子マネーを使用し、ＩＣカード内に保存されてい
る電子マネーを利用額分だけ引く。
【００１２】
ＩＣカード内の電子マネーが利用額より少ない場合、ＩＣカード内に格納されているク
レジットカード口座の有効性を確認する。クレジットカード口座の有効性が不可であれば
、自動改札機で入出場の拒否をする。クレジットカード口座の有効性が使用可であれば、
次にＩＣカード内に保存されている与信金額を確認する。ＩＣカード内に保存されている
与信金額が、利用額からＩＣカード内の電子マネー額を差し引いた金額である不足分金額
より大きい場合、与信金額を使用して支払いを行う。
（６）上記の処理が終了後、管理サーバには、前記の支払いに使用された不足分金額を送
信、管理サーバは、クレジットカード会社のクレジットカード口座に接続し、不足分金額
の売上処理（ギャザリング）を行う。
【００１３】
上記までの処理が終了次第、自動改札機で処理した電子マネーの金額、クレジットカー
ド口座の有効性、与信金額を、入出場処理に使用する他のデータと一緒にＩＣカードに送
信して書き込む。
（７）ＩＣカード内のクレジットカード口座の情報が使用可能状態にもかかわらず、売上
処理でクレジットカード口座から引き落としが出来ない場合は、管理サーバは自動改札機
にクレジットカード口座の有効性が不可、と配信する。配信後、自動改札機で更新に該当
するＩＣカードが使用された場合、ＩＣカード内にクレジットカード口座の有効性に不可
であることを書き込むと同時に、自動改札機にてＩＣカードの利用者の通過を拒否する。
【発明の効果】
【００１４】
乗車前にクレジットカード口座の確認が出来る為、乗車料金の回収が不可能となるリス
クが減る。
【００１５】
ＩＣカードの残額不足処理の場合、入金処理で数秒かかってしまうが、本方式により、
入金処理時間を減らす事ができる。
【発明を実施するための最良の形態】
【００１６】
以下に、本発明の実施の形態を、図を用いて説明する。
【００１７】
自動改札機のように、現時点で１秒以内の応答時間を要する分野のみならず、高額で取
引する流通分野など、引落リスクを減らせ、かつ高い信頼性を要する分野にも適用できる
ものである。
＜概要＞
本発明は、ＩＣカードと、ＩＣカード内の情報を読み書きできる装置の付いた自動改札
機と、自動改札機など駅内の機器と接続され、それぞれの機器とデータの通信ができ、か
つ前記データの保存が可能な管理サーバと、ネットワークを介してクレジットカード会社
との取引が可能なコンピュータシステムである。
【００１８】
ＩＣカードは、クレジットカード口座より自動的に入金することができるクレジットカ
ード機能を有するものを使用し、ＩＣカード内には、ユニークなＩＤであるカードＩＤ、
所有者の個人情報、入金した電子マネーの額、クレジットカード口座の使用可・使用不可
の情報、クレジットカード口座の与信限度額の範囲内で、予めＩＣカード発行事業者によ
って決められた金額である与信金額を保存する。
【００１９】
管理サーバは、クレジットカード会社に対してクレジットカード口座は使用可か不可か
というクレジットカード口座の有効性、および与信照会を行った額であれば引落しが可能
である、という与信金額を定期的に確認する。
【００２０】
管理サーバに保存されているクレジットカード口座の有効性に違いが生じた場合、配信
日時を付加して自動改札機に配信する。
【００２１】
管理サーバに保存されている与信金額に違いが生じた場合、あらかじめ決められた金額
で、現在設定されている額とは別の額で再度与信照会を行い、引き落としが可能となった
与信金額を、自動改札機に配信する。
【００２２】
クレジットカード口座の有効性、もしくは与信金額の変更情報が配信されていた場合、
入出場処理に加えて、ＩＣカード内に保存されているクレジットカード口座の有効性およ
び与信金額を管理サーバから配信されてきたデータに更新する。
利用者が、ＩＣカードを使用して利用額を支払う時、ＩＣカード内の電子マネーが利用額
より多い場合、ＩＣカード内の電子マネーを使用し、ＩＣカード内に保存されている電子
マネーを利用額分だけ引く。
【００２３】
ＩＣカード内の電子マネーが利用額より少ない場合、ＩＣカード内に格納されているク
レジットカード口座の有効性を確認する。クレジットカード口座の有効性が不可であれば
、自動改札機で入出場の拒否をする。クレジットカード口座の有効性が使用可であれば、
次にＩＣカード内に保存されている与信金額を確認する。ＩＣカード内に保存されている
与信金額が、利用額からＩＣカード内の電子マネー額を差し引いた金額である不足分金額
より大きい場合、与信金額を使用して支払いを行う。
上記の処理が終了後、管理サーバには、前記の支払いに使用された不足分金額を送信、管
理サーバは、クレジットカード会社のクレジットカード口座に接続し、不足分金額の売上
処理（ギャザリング）を行う。
【００２４】
以上の流れにより、ＩＣカード内にクレジットカード口座の情報を入れ、使用すること
で利用額不足でも自動改札機を入出場することを可能とする。
＜発明の構成＞
図１に、システムの全体構成の例を示す。
【００２５】
「電子マネー入金システム」は、ＩＣカード０１と、ＩＣカード０１を読み書きする自
動改札機０２、自動改札機と通信が可能でデータのやり取りができる管理サーバ０３、お
よびクレジットカード会社０４からなる。
【００２６】
ＩＣカード０１は、ユニークな番号のカードＩＤ１１、氏名、年齢などの個人情報１２
、電子マネー１３、前記与信金額１４枠、前記クレジットカードの有効性１５枠、最終更
新日時１６が格納されている。
【００２７】
自動改札機０２にはリーダ／ライタ２１が付いており、ＩＣカード０１と自動改札機０
２はリーダ／ライタ２１を介してデータの書き込み、および、データの読み込みをする。
自動改札機０２と管理サーバ０３はお互いにデータの送受信を行う。自動改札機０２のデ
ータベースには管理サーバから送付されてくるデータを保存する。
【００２８】
管理サーバ０３は、ＩＣカード０１毎に割り振られているカードＩＤ１１毎に個人情報
１２を管理するＩＣカード管理３１機能、クレジットカード会社０４に対して、定期的に
、決められた額による与信照会を行い、カードＩＤ１１毎にクレジットカード口座の有効
性４１、および、与信照会を行い、支払い可能な状態であることを確認するクレジットカ
ード口座管理３２機能を有する。与信照会後、クレジットカード口座４１が使用不可能で
あった場合は、後述する図４の通信データ０４にて自動改札機０２に配信する。また、与
信照会を行った額にて与信が承認されなかった場合、別の、ＩＣカード事業者にて決めら
れた額で再度与信処理を行う。承認されたら図５の通信データ０８を用いて与信金額の変
化に関するデータを自動改札機０２に配信する。データを受取った自動改札機０２は、書
き込む対象となるＩＣカード０１が使用された場合、リーダ／ライタ２１を介して、ＩＣ
カード０１内の、前記クレジットカードの有効性および前記与信金額の更新を行う。
【００２９】
また、ＩＣカード０１内の電子マネー残額が少なく、前記与信金額から使用する時は、
不足分金額を自動改札機０２から管理サーバ０３へ送信する。不足分金額の情報を受取っ
た管理サーバ０３は、直ちにクレジットカード会社０４に接続しての売上処理を行う。
【００３０】
図２、図３は、配信データＤＢ０５、ＩＣカード管理ＤＢ０６、クレジットカード口座
管理ＤＢ０７の例である。それぞれ、カードＩＤごとに、個人情報、与信金額、口座の有
効性、カード番号、照会日等を管理する。
＜発明の動作＞
以下に、本発明の動作を、フローチャートを用いて説明する。
【００３１】
図６は、管理サーバが定期的に行う与信照会の処理である。
【００３２】
ステップ１０１で、管理サーバからクレジットカード会社に対して、あらかじめ決めら
れた額で与信照会を行い、ステップ１０２で、管理サーバ内に保存されている前回の与信
照会の結果と比較する。
【００３３】
与信照会の結果、前回の結果と異なれば、与信照会を行う額を変更して再度与信照会を
行う。この処理は与信処理が承認されるまで繰り返す（ステップ１０３、１０４１０５）
。承認された後、管理サーバ内の与信金額の更新を行う（ステップ１０６）。
【００３４】
ステップ１０３にて、クレジットカード口座の有効性が異なれば、現在、使用可であれ
ば使用不可を、使用不可であれば使用可を書き込む。
【００３５】
ステップ１０６およびステップ１０７が終了次第、自動改札機に変更したデータを送信
する。
【００３６】
図７は、利用者が自動改札機を通過する時のフローチャートである。
【００３７】
ステップ１１１で、ＩＣカードを自動改札機にかざした時、ＩＣカード内のデータを自
動改札機に送信する。
【００３８】
管理サーバから自動改札機に、ＩＣカードへの書込み情報が配信されていた場合（ステ
ップ１１２）、クレジットカード口座が使用可か不可かを判断する（ステップ１１３）。
使用不可の場合、カード内のクレジットカード口座の有効性に使用不可と書き込む（ステ
ップ１１５）。カード内の与信金額の変更であれば、変更後の与信金額を書き込む（ステ
ップ１１４）。
【００３９】
利用金額の計算後（ステップ１１６）、カードの利用額が、ＩＣカード内の電子マネー
より少ない場合、ＩＣカード内の電子マネーを使用する(ステップ１２３)。
【００４０】
カードの利用額が、ＩＣカード内の電子マネーより多い場合、先ずクレジットカード口
座の有効性を判定し、使用可能であればステップ１１９に進み、使用不可であれば入出場
を拒否する。
【００４１】
ステップ１１９で、ＩＣカード内に保存されている与信金額が不足額だけ利用可能であ
れば、まず、ＩＣカード内の電子マネーを使用し、電子マネーの残額を更新する（ステッ
プ１２０）。
【００４２】
不足額を管理サーバに送信、クレジットカード会社の売上処理を行う（ステップ１２１
）。
【００４３】
ステップ１２３もしくはステップ１２１が終了次第、ＩＣカードの最終更新日時を更新
日時に変更して（ステップ１２４）、ＩＣカードのクレジットカードの有効性の変更情報
、ＩＣカード内の電子マネー額、最終更新日時をＩＣカードに書き込みが終了したら、自
動改札機にて入出場を許可する。
【００４４】
図８は、売上処理におけるフローチャートである。
【００４５】
図７のステップ１２１にて、自動改札機から管理サーバへ不足額が送信されたら（ステ
ップ１３１）、管理サーバにてクレジットカード会社に接続し、売上処理を行う（ステッ
プ１３２）。
【００４６】
ＩＣカードと、ＩＣカード内の情報を読み書きできる装置の付いた自動改札機と、自動
改札機など駅内の機器と接続され、それぞれの機器とデータの通信ができ、かつ前記デー
タの保存が可能な管理サーバと、ネットワークを介してクレジットカード会社との取引が
可能なコンピュータシステムであって、それらの構成要素が下記の動作をおこなう「電子
マネー入金管理システム」。
（１）ＩＣカードは、クレジットカード口座より自動的に入金することができるクレジッ
トカード機能を有するものを使用する。ＩＣカード内には、ユニークなＩＤであるカード
ＩＤ、所有者の個人情報、入金した電子マネーの額、クレジットカード口座の使用可・使
用不可を格納するクレジットカード口座の有効性枠、クレジットカード口座の与信限度額
の範囲内で、予めＩＣカード発行事業者によって決められた金額を格納することができる
与信確認済金額枠と、ＩＣカードを使用した最終日時を格納する最終更新日時枠を設け、
データを保存できる。
（２）管理サーバは、クレジットカード会社に対してクレジットカード口座は使用可か不
可かというクレジットカード口座の有効性、および与信照会を行った額であれば引落しが
可能である、という与信金額を定期的に確認する。
【００４７】
管理サーバに保存されているクレジットカード口座の有効性に違いが生じた場合、配信
日時を付加して自動改札機に配信する。
【００４８】
管理サーバに保存されている与信金額に違いが生じた場合、あらかじめ決められた金額
で、現在設定されている額とは別の額で再度与信照会を行い、引き落としが可能となった
与信金額を、配信日時を付加して自動改札機に配信する。
（３）利用者が、ＩＣカードを利用して自動改札機を通過する時、ＩＣカード内のデータ
を自動改札機に送信する。
（４）利用者が、ＩＣカードで自動改札機を通る時、管理サーバから何も配信されていな
い場合は、入出場処理のみを行う。
【００４９】
クレジットカード口座の有効性、もしくは与信金額の変更情報が配信されていた場合、
入出場処理に加えて、ＩＣカード内に保存されているクレジットカード口座の有効性およ
び与信金額を管理サーバから配信されてきたデータに更新する。
（５）利用者が、ＩＣカードを使用して利用額を支払う時、ＩＣカード内の電子マネーが
利用額より多い場合、ＩＣカード内の電子マネーを使用し、ＩＣカード内に保存されてい
る電子マネーを利用額分だけ引く。
【００５０】
ＩＣカード内の電子マネーが利用額より少ない場合、ＩＣカード内に格納されているク
レジットカード口座の有効性を確認する。クレジットカード口座の有効性が不可であれば
、自動改札機で入出場の拒否をする。クレジットカード口座の有効性が使用可であれば、
次にＩＣカード内に保存されている与信金額を確認する。ＩＣカード内に保存されている
与信金額が、利用額からＩＣカード内の電子マネー額を差し引いた金額である不足分金額
より大きい場合、与信金額を使用して支払いを行う。
（６）上記の処理が終了後、管理サーバには、前記の支払いに使用された不足分金額を送
信、管理サーバは、クレジットカード会社のクレジットカード口座に接続し、不足分金額
の売上処理（ギャザリング）を行う。
【００５１】
上記までの処理が終了次第、自動改札機で処理した電子マネーの金額、クレジットカー
ド口座の有効性、与信金額を、入出場処理に使用する他のデータと一緒にＩＣカードに送
信して書き込む。
（７）ＩＣカード内のクレジットカード口座の情報が使用可能状態にもかかわらず、売上
処理でクレジットカード口座から引き落としが出来ない場合は、管理サーバは自動改札機
にクレジットカード口座の有効性が不可、と配信する。配信後、自動改札機で更新に該当
するＩＣカードが使用された場合、ＩＣカード内にクレジットカード口座の有効性に不可
であることを書き込むと同時に、自動改札機にてＩＣカードの利用者の通過を拒否する。
【００５２】
乗車前にクレジットカード口座の確認が出来る為、乗車料金の回収が不可能となるリス
クが減る。
【００５３】
ＩＣカードの残額不足処理の場合、入金処理で数秒かかってしまうが、本方式により、
入金処理時間を減らす事ができる。
【図面の簡単な説明】
【００５４】
【図１】システムの全体の構成である。
【図２】自動改札機のデータベースの構成である。
【図３】管理サーバのＩＣカード管理に関するデータベースおよびクレジットカード口座管理に関するデータベースの構成である。
【図４】管理サーバから自動改札機に配信する通信データ(クレジットカード口座使用可・不可変更の場合)の構成である。
【図５】管理サーバから自動改札機に配信する通信データ(与信枠変更の場合)である。
【図６】管理サーバが、クレジットカード会社に対して行う与信照会のフローチャートである。
【図７】自動改札機通過時における、ＩＣカードを自動改札機にかざしたときのフローチャートである。
【図８】クレジットカード口座の売上処理のフローチャートである。
【符号の説明】
【００５５】
０１…ＩＣカード、０２…自動改札機、０３…管理サーバ、０４…クレジットカード口
座、０５…配信データＤＢ、０６…ＩＣカード管理ＤＢ、０７…クレジットカード口座管
理ＤＢ、０８…カード書込の通信データ（クレジットカード口座使用可・不可の変更の場
合）、０９…カード書込の通信データ（与信口座枠変更の場合）、１１…カードＩＤ、１
２…個人情報、１３…電子マネー、１４…与信金額、１５…クレジットカード口座の有効
性（使用可・不可）、１６…最終更新日時、２１…リーダ／ライタ、３１…ＩＣカード管
理、３２…クレジットカード口座管理、４１…クレジットカード口座、５１…個人情報、
５２…与信金額、５３…クレジットカード口座の有効性、６１…個人情報、６２…与信金
額、６３…クレジットカード口座の有効性、７１…個クレジットカード番号、７２…前回
の与信照会日、７３…今回の与信照会日、８１…カードＩＤ、８２…クレジットカード口
座の有効性、８３…配布日時、９１…カードＩＤ、９２…与信金額、９３…配布日時。
【図１】
2006139527.tif 000003
【図２】
2006139527.tif 000004
【図３】
2006139527.tif 000005
【図４】
2006139527.tif 000006
【図５】
2006139527.tif 000007
【図６】
2006139527.tif 000008
【図７】
2006139527.tif 000009
【図８】
2006139527.tif 000010